(57)【要約】【課題】  利用者が特別な操作をすることなく、デジタルサイネージ装置に表示された広告や案内等に関連する情報が、利用者に提供されるようにする。【解決手段】  情報通信システム１０は、例えばデジタルサイネージ装置１と、通信端末３とを備える。デジタルサイネージ装置１は、表示部１３に表示される第１のコンテンツを識別できる識別情報を取得し、この第１のコンテンツを識別できる識別情報を含んだビーコン信号を送信する。通信端末３は、第１のコンテンツを識別できる識別情報と対応づけて第２のコンテンツを記憶するデータベース４３ａから、受信したビーコン信号に含まれる識別情報に対応する第２のコンテンツを取得し、第２のコンテンツを表示部３５に表示させる。【選択図】  図２
2015222880.tif 000002
【特許請求の範囲】
【請求項１】
ビーコン信号を送信する情報通信装置と、前記ビーコン信号を受信可能な通信端末とを含む情報通信システムであって、
前記情報通信装置は、
第１のコンテンツを表示するデジタルサイネージ部と、
前記デジタルサイネージ部に表示される前記第１のコンテンツと対応づけられた情報を取得する取得部と、
前記取得部によって取得された前記第１のコンテンツと対応づけられた前記情報を含んだビーコン信号を送信する送信部と、
を備え、
前記通信端末は、
前記情報通信装置から送信された前記ビーコン信号を受信する受信部と、
コンテンツを表示する表示部と、
前記受信部によって受信した前記ビーコン信号に含まれる、前記第１のコンテンツと対応づけられた前記情報に応じた処理を実行し、前記第１のコンテンツに関連する第２のコンテンツを前記表示部に出力する処理部と、
を備える情報通信システム。
【請求項２】
前記第１のコンテンツと対応づけられた前記情報は、前記第１のコンテンツを識別できる識別情報であり、
前記通信端末の処理部は、前記識別情報と対応づけて前記第２のコンテンツを記憶するデータベースから、前記識別情報に対応する前記第２のコンテンツを取得し、当該第２のコンテンツを前記表示部に表示させる処理を行う
請求項１に記載の情報通信システム。
【請求項３】
前記通信端末は、前記データベースと通信するための通信部を、更に備え、
前記通信端末の前記処理部は、前記通信部を通じて前記識別情報に対応する前記第２のコンテンツを前記データベースから取得する
請求項２に記載の情報通信システム。
【請求項４】
前記通信端末は、前記データベースを、更に備え、
前記通信端末の前記処理部は、前記識別情報に対応する前記第２のコンテンツを前記データベースから取得する
請求項２に記載の情報通信システム。
【請求項５】
前記第１のコンテンツと対応づけられた前記情報は、前記第１のコンテンツに関連する前記第２のコンテンツであり、前記通信端末の処理部は、前記情報通信装置から前記第２のコンテンツを取得する
請求項１に記載の情報通信システム。
【請求項６】
前記情報通信装置は、クロック信号を生成するクロック生成部と、
前記クロック生成部から入力された前記クロック信号の入力数をカウントし、カウント値に基づいて前記第１のコンテンツを切り替える制御部と、
を備える請求項１乃至５のいずれかに記載の情報通信システム。
【請求項７】
ビーコン信号を送信する情報通信装置と、前記ビーコン信号に含まれる情報を通信端末を通じて受信可能なサーバとを含む情報通信システムであって、
前記情報通信装置は、
第１のコンテンツを表示するデジタルサイネージ部と、
前記デジタルサイネージ部に表示される前記第１のコンテンツを識別できる識別情報を取得する取得部と、
前記取得部によって取得された前記第１のコンテンツを識別できる前記識別情報を含んだビーコン信号を送信する送信部と、
を備え、
前記サーバは、
前記第１のコンテンツを識別できる前記識別情報と対応づけて前記第１のコンテンツに関連する第２のコンテンツを記憶するデータベースと、
前記通信端末と通信する通信部と、
前記通信部によって前記通信端末から受信した前記第１のコンテンツを識別できる前記識別情報に対応する前記第２のコンテンツを前記データベースから取得し、前記第２のコンテンツを前記通信部によって前記通信端末へ送信する処理部と、
を備える情報通信システム。
【請求項８】
コンテンツを表示するデジタルサイネージ部と、
前記デジタルサイネージ部に表示される前記コンテンツと対応づけられた情報を取得する取得部と、
前記取得部によって取得された前記コンテンツと対応づけられた前記情報を含んだビーコン信号を送信する送信部と、
を備える情報通信装置。
【請求項９】
コンテンツを表示するデジタルサイネージ装置と通信可能に接続され、前記デジタルサイネージ装置に表示される前記コンテンツと対応づけられた情報を取得する取得部と、
前記取得部によって取得された前記コンテンツと対応づけられた前記情報を含んだビーコン信号を送信する送信部と、
を備えるビーコン装置。
【発明の詳細な説明】
【技術分野】
【０００１】
本発明は、情報通信システム、情報通信装置及びビーコン装置に関し、特に、デジタルサイネージ装置に表示された情報に関連した情報を通信端末に提供する情報通信システム、情報通信装置及びビーコン装置に関する。
【背景技術】
【０００２】
近年、表示装置とデジタル技術を用いた広告媒体であるデジタルサイネージ装置が、街の至るところに設置されている。このようなデジタルサイネージ装置の一つに、複数の表示部と、複数の表示部ごとに設けられ、通信端末に内蔵されたＩＣタグと通信するリーダライタと、無線通信を行う無線通信部とを備えた情報処理装置がある（例えば、特許文献１参照。）。
【０００３】
この特許文献１に記載された情報処理装置では、電磁波を利用した通信（第１の無線通信）により、リーダライタが近接された通信端末から識別情報を読み取り、この識別情報により特定される通信端末に応じたコンテンツを、無線通信部からBluetooth（登録商標）による無線通信（第２の無線通信）により該当通信端末に送信する。これにより、利用者は、複数の表示部に表示された案内を確認し、選択した表示部に設けられたリーダライタに通信端末を近接させるだけで、選択した表示部に表示された案内に関する詳細な情報を通信端末に表示させて確認することができる。
【先行技術文献】
【特許文献】
【０００４】
【特許文献１】特許第４９８４３６４号公報
【発明の概要】
【発明が解決しようとする課題】
【０００５】
ところで、特許文献１に記載の情報処理装置では、情報処理装置と通信端末間で双方向通信を行っている。双方向通信を行う場合、表示部に表示された案内に興味を持った利用者が、自分の通信端末をリーダライタに近接させるという操作を行うことで、その表示部に表示された案内に関する詳細な情報が通信端末に提供される。言い換えれば、利用者が通信端末をリーダライタに近接させ、双方向通信が可能な状態とするという積極的な操作を行わなければ、表示された案内に関する詳細な情報が得られなかった。
【０００６】
このような状況に鑑みて、利用者が特別な操作をすることなく、デジタルサイネージ装置に表示された広告や案内等に関連する情報が、利用者に提供されるようにすることが望まれていた。
【課題を解決するための手段】
【０００７】
本発明の第１の態様に係る情報通信システムは、ビーコン信号を送信する情報通信装置と、そのビーコン信号を受信可能な通信端末とを含む。
この情報通信装置は、第１のコンテンツを表示するデジタルサイネージ部と、このデジタルサイネージ部に表示される第１のコンテンツと対応づけられた情報を取得する取得部と、を備える。また、この情報通信装置は、取得部によって取得された第１のコンテンツと対応づけられた情報を含んだビーコン信号を送信する送信部を備える。
この通信端末は、情報通信装置から送信されたビーコン信号を受信する受信部と、コンテンツを表示する表示部と、を備える。また、この通信端末は、受信部によって受信したビーコン信号に含まれる、第１のコンテンツと対応づけられた情報に応じた処理を実行し、第１のコンテンツに関連する第２のコンテンツを表示部に出力する処理部を備える。
【０００８】
本発明の第２の態様に係る情報通信システムは、ビーコン信号を送信する情報通信装置と、そのビーコン信号に含まれる情報を通信端末を通じて受信可能なサーバと、を含む。
この情報通信装置は、第１のコンテンツを表示するデジタルサイネージ部と、このデジタルサイネージ部に表示される第１のコンテンツを識別できる識別情報を取得する取得部と、を備える。また、この情報通信装置は、取得部によって取得された第１のコンテンツを識別できる識別情報を含んだビーコン信号を送信する送信部を備える。
このサーバは、第１のコンテンツを識別できる識別情報と対応づけてこの第１のコンテンツに関連する第２のコンテンツを記憶するデータベースと、通信端末と通信する通信部と、を備える。また、このサーバは、通信部によって通信端末から受信した識別情報に対応する第２のコンテンツをデータベースから取得し、第２のコンテンツを通信部によって通信端末へ送信する処理部を備える。
【０００９】
本発明の第３の態様に係る情報通信装置は、コンテンツを表示するデジタルサイネージ部と、このデジタルサイネージ部に表示されるコンテンツと対応づけられた情報を取得する取得部と、を備える。また、取得部によって取得されたコンテンツと対応づけられた情報を含んだビーコン信号を送信する送信部を備える。
【００１０】
本発明の第４の態様に係るビーコン装置は、コンテンツを表示するデジタルサイネージ装置と通信可能に接続され、このデジタルサイネージ装置に表示されるコンテンツと対応づけられた情報を取得する取得部を備える。また、取得部によって取得されたコンテンツと対応づけられた情報を含んだビーコン信号を送信する送信部を備える。
【発明の効果】
【００１１】
本発明の少なくとも一つの実施の形態によれば、利用者が特別な操作をすることなく、デジタルサイネージ部（又はデジタルサイネージ装置）に表示されたコンテンツに関連する情報が、通信端末に送信される。それゆえ、利用者が特別な操作をすることなく、デジタルサイネージ部（又はデジタルサイネージ装置）に表示されたコンテンツに関連する情報が、利用者に提供される。
【図面の簡単な説明】
【００１２】
【図１】本発明の第１の実施の形態に係る情報通信システムの概要を説明するための概略図である。
【図２】本発明の第１の実施の形態に係る情報通信システムの全体構成図である。
【図３】本発明の第１の実施の形態に係るデジタルサイネージ装置が備える、識別情報（ビーコンＩＤ、サービスＩＤ）と表示データから構成されるテーブルの一例を示す図である。
【図４】本発明の第１の実施の形態に係るデジタルサイネージ装置の制御部に対する入力の一例を示した説明図である。
【図５】本発明の第１の実施の形態に係るデジタルサイネージ装置の制御部に対する入力の他の例を示した説明図である。
【図６】本発明の第１の実施の形態に係るサーバが備える識別情報（ビーコンＩＤ、サービスＩＤ）と関連データから構成される関連データデータベースのデータ構造の一例を示す図である。
【図７】本発明の第１の実施の形態に係るデジタルサイネージ装置の処理を示すフローチャートである。
【図８】本発明の第１の実施の形態に係る通信端末の処理を示すフローチャートである。
【図９】本発明の第１の実施の形態に係るサーバの処理を示すフローチャートである。
【図１０】本発明の第１の実施の形態に係る情報通信システムによる処理を示すシーケンス図である。
【図１１】スマートフォンの新製品に関する情報が表示された表示画面の例であり、図１１Ａはデジタルサイネージ装置に表示される表示画面の例を示し、図１１Ｂは通信端末に表示される表示画面の例を示す。
【図１２】新刊書籍に関する情報が表示された表示画面の例であり、図１２Ａはデジタルサイネージ装置に表示される表示画面の例を示し、図１２Ｂは通信端末に表示される表示画面の例を示す。
【図１３】レストランに関する情報が表示された表示画面の例であり、図１３Ａはデジタルサイネージ装置に表示される表示画面の例を示し、図１３Ｂは通信端末に表示される表示画面の例を示す。
【図１４】本発明の第２の実施の形態に係るデジタルサイネージ装置の内部構成を示すブロック図である。
【図１５】本発明の第３の実施の形態に係る情報通信システムの概要を説明するための説明図である。
【発明を実施するための形態】
【００１３】
＜第１の実施の形態＞
以下、本発明の第１の実施の形態例（情報通信システムをデジタルサイネージ装置、通信端末及びサーバから構成する）について、添付図面を参照して説明する。各図面において、実質的に同一の機能又は構成を有する構成要素については、同一の符号を付して重複する説明を省略する。
【００１４】
［情報通信システムの概要］
図１は、本発明の第１の実施の形態に係る情報通信システムの概要を説明するための概略図である。
図１に示す情報通信システム１０は、デジタルサイネージ装置１（取得部と送信部とデジタルサイネージ部の一例）と、通信端末３と、サーバ４から構成される。
【００１５】
情報通信システム１０において、デジタルサイネージ装置１は、表示画面に表示データ（第１のコンテンツ）を表示させる（ステップＳ１）。またデジタルサイネージ装置１は、表示画面に表示した表示データに対応した送信データを、ビーコン信号に重畳させてアンテナ１ａを介して間欠的に通信端末３へ送信する（ステップＳ２）。表示画面に表示される内容は、時間経過又は表示画面が備える不図示のタッチパネルに対するユーザの操作入力などに応じて、変更可能である。表示画面の表示内容が変更されると、変更後の表示内容に応じてデジタルサイネージ装置１から通信端末３へ送信される送信データも変更される。表示データには例えば広告や案内等についての情報が含まれる。送信データには、その商品の詳細又は購入等に関わる商品情報を識別するための識別情報、若しくは商品情報の識別情報と紐付けられた識別情報が含まれる。
【００１６】
例えばデジタルサイネージ装置１ごとに付与される個体識別情報（ビーコンＩＤ）を含むビーコン信号を受信した通信端末３は、ビーコン信号に含まれるビーコンＩＤをネットワーク５を介してサーバ４に転送する（ステップＳ３）。サーバ４は、ビーコンＩＤと商品情報を紐付けて格納するデータベースを有しており、受信したビーコンＩＤに対応する商品情報をそのデータベースから抽出する。そして、サーバ４は、データベースから抽出したビーコンＩＤに対応する商品情報、すなわちデジタルサイネージ装置１の表示画面の表示内容と関連する情報（第２のコンテンツ）を関連データとして通信端末３に送信する（ステップＳ４）。
【００１７】
サーバ４から関連データを受信した通信端末３は、受信した関連データすなわちデジタルサイネージ装置１の表示画面の表示内容と関連する情報を、通信端末３の表示画面上に表示する（ステップＳ５）。
【００１８】
このように構成された情報通信システム１０は、例えばデジタルサイネージ装置１の表示画面に広告として商品の概要を表示し、これと並行してサーバ４から通信端末３にその商品の詳細情報を送信する。その結果、通信端末３の表示画面にその商品の詳細情報が表示される。そのため、デジタルサイネージ装置１の表示画面に表示された商品の概要を見たユーザは、ユーザが携帯する通信端末３に表示された商品の詳細情報を確認することが可能である。
【００１９】
図１において、情報通信システム１０にサーバ４を含む例を示したが、後述する第３の実施の形態のように、情報通信システム１０をデジタルサイネージ装置１と通信端末３とから構成してもよい。
【００２０】
また、基本的に、一つのデジタルサイネージ装置１に対応するビーコンＩＤは一つである。したがって、デジタルサイネージ装置１が複数の表示データを切り替えて表示する場合には、デジタルサイネージ装置１の個体を識別するためのビーコンＩＤに加えて、表示データごとに後述するサービスＩＤ等の情報を利用して複数の表示データの管理を行う。
【００２１】
［情報通信システムの全体構成］
図２は、情報通信システム１０の全体構成図である。
図２に示すように、情報通信システム１０は、デジタルサイネージ装置１（情報通信装置の一例）と、通信端末３と、サーバ４から構成されている。
【００２２】
（デジタルサイネージ装置の構成例）
デジタルサイネージ装置１は、図２に示すように、記憶部１１、制御部１２（取得部の一例）、表示部１３（デジタルサイネージ部の一例）、ビーコン信号送信部１４（送信部の一例）を備える。
【００２３】
記憶部１１は、例えば、ＲＯＭ（Read Only Memory）、ＲＡＭ（Random Access Memory）等として用いられる記憶媒体によって構成されている。この記憶部１１は、デジタルサイネージ装置１の各部を制御するためのプログラム、パラメータ等を記憶する。加えて、記憶部１１は、識別情報（例えばビーコンＩＤ）と表示部１３に送る表示データとを対応づけて構成されたテーブル１１ａを記憶している。図１において、ビーコンＩＤはデジタルサイネージ装置１を識別するための識別情報であると説明したが、ビーコンＩＤは表示データを表示する装置を識別できればよい。即ち、図２の例では、ビーコンＩＤによってデジタルサイネージ装置１が識別される。
【００２４】
ここで、図３は、デジタルサイネージ装置１が備える、識別情報（ビーコンＩＤ、サービスＩＤ）と表示データとから構成されるテーブル１１ａの一例を示す図である。
テーブル１１ａは、識別情報としてのビーコンＩＤフィールド５１及びサービスＩＤフィールド５２と、表示データフィールド５３とから構成されるデータ構造を有する。
【００２５】
ビーコンＩＤフィールド５１には、デジタルサイネージ装置１を識別するビーコンＩＤが格納される。このビーコンＩＤにより、ビーコン信号送信部１４、即ちデジタルサイネージ装置１が一意に識別される。サービスＩＤフィールド５２には、広告や案内等についての情報ごとに付与されるサービスＩＤが格納される。
【００２６】
表示データフィールド５３には、表示データ（第１のコンテンツ）としての、広告や案内等についての情報が格納される。
【００２７】
例えば、図３に示すように、あるレコードにおけるビーコンＩＤフィールド５１には「♯００１」が格納され、サービスＩＤフィールド５２には「０１」が格納され、表示データフィールド５３には「スマートフォン新製品情報」の画像データが格納される。なお、表示データフィールド５３には「スマートフォン新製品情報」の画像データファイルの保存場所が格納されていてもよい。
【００２８】
上述したとおり、一つのデジタルサイネージ装置１（ビーコン信号送信部１４）は、複数通りの識別情報及び表示データを有する。ビーコン信号に含めて送信される識別情報（ＩＤ）は、デジタルサイネージ装置１（ビーコン信号送信部１４）を識別するためのビーコンＩＤと、提供する表示データを識別するためのサービスＩＤとの２通りのＩＤから構成される。図３の例では、同一のデジタルサイネージ装置１（ビーコン信号送信部１４）は、「０１」〜「０３」の３通りのサービスＩＤを送信できる。サービスＩＤは、制御部１２に対する入力に応じて、表示部１３に供給される表示データとともに変更される。
【００２９】
ここで、デジタルサイネージ装置１から通信端末３を経由してサーバ４に送る識別情報には、必ずしもビーコンＩＤとサービスＩＤを含める必要はない。サーバ４が、通信端末３から受信した信号に基づいて、どのデジタルサイネージ装置で何の表示データが表示されているかを特定できればよい。よって、例えばデジタルサイネージ装置１に表示する表示データが一つである場合には、ビーコンＩＤのみを送ればよい。また、デジタルサイネージ装置１に表示する表示データが一つまたは複数通り存在する場合に、デジタルサイネージ装置１に固有のビーコンＩＤの代わりに、各表示データに固有のサービスＩＤのみを送ってもよい。
また、ビーコンＩＤやサービスＩＤとは異なる概念の識別情報（ＩＤ）を用いてもよい。一例として、駅内などに複数のデジタルサイネージ装置１が配置される場合に、各デジタルサイネージ装置１は設置された駅や位置情報を識別するための識別情報（例えば、ロケーションＩＤ）を送信する。ここで、各デジタルサイネージ装置１は、同じ識別情報を含むビーコン信号を送信する。これらのデジタルサイネージ装置１は、それぞれから送信するビーコン信号に含まれる識別情報により、通信端末３に対して駅周辺の地図情報など、同じデータを提供する。このように設定した場合、同一の駅内に配置された複数のデジタルサイネージ装置１に対し、それぞれ個別のビーコンＩＤやサービスＩＤを設定する必要がなく、それぞれから送信するビーコン信号により、通信端末３に対して駅周辺の地図情報など、同じデータを提供することが可能となる。
【００３０】
また、図３の例では、ビーコンＩＤとサービスＩＤを別々のＩＤとして管理しているが、ビーコンＩＤとサービスＩＤを一体化した識別情報としてもよい。例えば、ビーコンＩＤが「♯００１」、かつサービスＩＤが「０１」に対応する識別情報として、「♯００１−０１」で表されるビーコンＩＤを用いてもよい。このビーコンＩＤを受信したサーバ４では、「♯００１−０１」のうち前半部分の「♯００１」をデジタルサイネージ装置１と紐づけられた固有のビーコンＩＤとして解釈し、また「♯００１−０１」の後半部分の「０１」をサービスＩＤとして解釈する。なお、これ以降、識別情報として、ビーコンＩＤ以外にサービスＩＤを含む場合には「ビーコンＩＤ等」と表記することにする。
【００３１】
図２のデジタルサイネージ装置１の説明に戻る。
制御部１２は、例えばＣＰＵ（Central Processing Unit）等からなる演算処理装置であり、記憶部１１、表示部１３及びビーコン信号送信部１４を制御する。この制御部１２は、記憶部１１から読み出したプログラム、パラメータ等に基づいて、デジタルサイネージ装置１内の各部の動作を制御することができる。制御部１２は、ビーコンＩＤ等及び該ビーコンＩＤ等と対応づけられた表示データを記憶部１１から読み出し、表示データを表示部１３へ出力し、ビーコンＩＤをビーコン信号送信部１４へ出力する。
【００３２】
また、制御部１２は、入力に応じた処理を実行する機能を有する。例えば、制御部１２は、所定の入力をトリガとして、デジタルサイネージ装置１の表示部１３に表示する内容即ち表示データ、及び表示データと対応づけられた識別情報を切り替える。
【００３３】
図４は、デジタルサイネージ装置１の制御部１２に対する入力の一例を示した説明図である。
例えば、デジタルサイネージ装置１がクロック生成部１５を有し、記憶部１１に表示データと識別情報の組み合わせが複数組記憶されていることを想定する。制御部１２は、クロック生成部１５から入力されるクロック信号の入力数をカウントし、そのカウント値に基づいて表示データ及び識別情報の組を切り替える。それにより、デジタルサイネージ装置１は、例えば時間経過とともに（秒単位もしくは分単位で）、表示部１３に表示する表示データを切り替え、それに伴い通信端末３に送信する識別情報を切り替えることができる。
【００３４】
図５は、デジタルサイネージ装置１の制御部１２に対する入力の他の例を示した説明図である。
例えば、デジタルサイネージ装置１が利用者の操作入力に応じた操作信号を生成する入力部１６を有し、記憶部１１に表示データと識別情報の組み合わせが複数組記憶されていることを想定する。制御部１２は、入力部１６から入力される操作信号に基づいて、記憶部１１に記憶された複数組の表示データ及び識別情報の中から利用者により選択された表示データ及び識別情報を抽出する。デジタルサイネージ装置１は、抽出された表示データ及び識別情報を用いて、表示部１３に表示する表示データを切り替えるとともに通信端末３に送信する識別情報を切り替える。
【００３５】
なお、最初に表示する表示データ及び送信する送信データ（ビーコンＩＤ等の識別情報）、並びに入力によって表示データ及び送信データを変更するプログラムが、予め記憶部１１に記憶されている。例えば、図４の例では、クロック生成部１５からのクロック入力に基づき、設定した時刻になると表示データ及び識別情報を所定のデータに変更するプログラムが、記憶部１１に記憶されている。また、図５の例では、例えばタッチパネル（入力部１６）により所定のアイコンを指定された場合には、そのアイコンに対応する表示データ及び識別情報に変更するプログラムが、記憶部１１に記憶されている。
また、入力部１６から入力される操作信号は、利用者の操作入力によるものでなくてもよく、例えば、他の機器や計器などからのデジタル信号の入力、アナログ信号の入力、シリアル通信による入力などであってもよい。
【００３６】
図２のデジタルサイネージ装置１の説明に戻る。
表示部１３は、例えば液晶パネルなどの平面ディスプレイにより構成される。表示部１３は、制御部１２から入力された表示データに基づいて、不図示の表示駆動部により駆動され、画面に広告や案内などが表示される。
【００３７】
ビーコン信号送信部１４は、制御部１２の制御下でビーコンＩＤ等を含むビーコン信号を生成し、無線通信により外部へ出力する。ビーコン信号は、ビーコン信号送信部１４からブロードキャスト方式で間欠的に送信される。なお、ビーコン信号は、ビーコン信号送信部１４において、例えば、低消費電力での小容量通信が可能な「Bluetooth（登録商標）Low Energy」（以下、「ＢＬＥ」と略す。）におけるアドバタイズ信号（パケット信号）や、Ｗｉ−Ｆｉ（登録商標）規格に基づくパケット信号として生成される。
なお、図２に示したデジタルサイネージ装置１では、記憶部１１、制御部１２、表示部１３及びビーコン信号送信部１４が一体の装置として記載されているが、各部で必要な情報の通信が可能であれば、各部が別体として構成されていてもよい。一例として、記憶部１１及び制御部１２と、表示部１３及びビーコン信号送信部１４とがそれぞれ別体の装置として構成されており、表示データやビーコンＩＤなどの必要なデータをネットワークを介して有線または無線で通信する構成であってもよい。
【００３８】
（通信端末の構成例）
通信端末３は、図２に示すように、バス３７で互いに接続される、ビーコン信号受信部３１、サーバ通信部３２、記憶部３３、処理部３４、表示部３５、及び入力部３６を備える。
【００３９】
処理部３４は、バス３７を通じて、ビーコン信号受信部３１、サーバ通信部３２、記憶部３３、表示部３５、及び入力部３６を制御する。処理部３４は、例えばＣＰＵ等からなる演算処理装置である。この処理部３４は、記憶部３３から読み出したプログラム、パラメータ等に基づいて、通信端末３内の各部の動作を制御することができる。
【００４０】
ビーコン信号受信部３１は、例えばＢＬＥ又はＷｉ−Ｆｉ（登録商標）等の通信規格に基づいて、デジタルサイネージ装置１から送信されるビーコン信号を不図示のアンテナを介して受信し、ビーコン信号に含まれる識別情報を取得する。
【００４１】
サーバ通信部３２は、例えば、Bluetooth（登録商標）、無線ＬＡＮ（Local Area Network）、携帯電話回線など何らかの通信方式を用いてアクセスポイント６と無線通信し、サーバ４との通信を行う。デジタルサイネージ装置１から送られるビーコン信号に含まれる識別情報は、サーバ通信部３２からアクセスポイント６、ネットワーク５を経由してサーバ４に無線送信される。
【００４２】
ここで、具体的な実装形態を考えると、デジタルサイネージ装置１から送信されるビーコン信号は暗号化されていてもよい。ビーコン信号が暗号化されている場合、通信端末３の処理部３４では、ビーコン信号に含まれる識別情報を解釈できない。この場合には、暗号化されたビーコン信号内のデータをサーバ４で復号し、識別情報の確認を行うことになる。つまり、通信端末３の処理部３４は、単にデジタルサイネージ装置１から送信されたビーコン信号に含まれる情報を中継してサーバ通信部３２からサーバ４に送信する機能を備える。勿論、通信端末３が暗号化されているビーコン信号内のデータを復号できる機能を備えていてもよい。
【００４３】
記憶部３３は、例えば、ＲＯＭ、ＲＡＭ等として用いられる記憶媒体によって構成されている。この記憶部１１は、デジタルサイネージ装置１の各部を制御するためのプログラム、パラメータ等を記憶する。
【００４４】
表示部３５は、出力部の一例であり、映像や文字情報を表示するディスプレイなどで構成されている。表示部３５は、サーバ４から送信される情報に基づいて、テキスト、画像等よりなる画面を表示面に表示する。なお、表示部３５の代わりに、不図示のスピーカを用いて音声によりサーバ４から送信された情報をユーザに提供することもできる。
【００４５】
入力部３６は、利用者の操作入力に応じた操作信号を生成し、その操作信号を処理部３４へ送る。例えば利用者は、サーバ４から提供される情報を受けて、入力部３６を操作して商品の詳細情報の閲覧や購入等を行うことができる。なお、通信端末３では、表示部３５及び入力部３６は、表示面と操作面とを重ねたタッチパネルディスプレイとして構成されていてもよい。また、入力部３６に、ボタンキーを用いてもよい。
【００４６】
［サーバの構成例］
サーバ４は、図２に示すように、通信部４１と、処理部４２と、記憶部４３を備える。
通信部４１は、例えば、ネットワーク５と相互にデータ通信を行うためのパケット制御を行い、ネットワーク５及びアクセスポイント６を通じて、通信端末３と通信する。
【００４７】
記憶部４３は、関連データデータベース４３ａ（以下、「関連データＤＢ」と略記する）を備え、この関連データＤＢ４３ａには、ビーコンＩＤ等に対応する情報、即ちデジタルサイネージ装置１に表示された表示データに関連する様々な情報が記憶される（図６で後述）。通信部４１、処理部４２、記憶部４３は、各部が情報をやり取りするための共通の信号ラインであるバス（図示略）で接続されている。
【００４８】
処理部４２は例えばＣＰＵ等からなる演算処理装置であり、バスを通じて通信部４１及び記憶部４３を制御する。この処理部４２は、記憶部４３から読み出したプログラム、パラメータ等に基づいて、サーバ４内の各部の動作を制御することができる。処理部４２は、通信端末３から送信される識別情報（ビーコンＩＤ等）に基づいて記憶部４３内の関連データＤＢ４３ａを参照し、その識別データと対応づけられた表示データに関連する情報（関連データ）を抽出する。そして、処理部４２は、抽出した表示データに関連する情報を、通信部４１、ネットワーク５、アクセスポイント６を経由して通信端末３に送信する。このビーコンＩＤ等の解釈は、サーバ４に搭載されたＯＳ若しくはアプリケーションが実行する。
【００４９】
図６は、サーバ４が備える、識別情報（ビーコンＩＤ、サービスＩＤ）と関連データとから構成される関連データＤＢ４３ａのデータ構造の一例を示す図である。
関連データＤＢ４３ａは、識別情報としてのビーコンＩＤフィールド６１及びサービスＩＤフィールド６２と、関連データフィールド６３とから構成されるデータ構造を有する。
【００５０】
ビーコンＩＤフィールド６１には、ビーコン信号を送信する手段であるビーコン信号送信部１４を識別するビーコンＩＤが格納される。ビーコンＩＤにより、デジタルサイネージ装置１が一意に識別される。サービスＩＤフィールド６２には、広告や案内等についての情報ごとに付与されるサービスＩＤが格納される。
【００５１】
関連データフィールド６３には、関連データとしての、広告や案内等についての情報（第１のコンテンツ）に関連する情報（第２のコンテンツ）が格納される。
【００５２】
例えば、図６に示すように、あるレコードにおけるビーコンＩＤフィールド６１には「♯００１」が格納され、サービスＩＤフィールド６２には「０１」が格納され、関連データフィールド６３には「スマートフォン新製品の詳細情報」の画像データ又はその画像データにアクセスするためのＵＲＬ（Uniform Resource Locator）等が格納される。なお、表示データフィールド５３には「スマートフォン新製品の詳細情報」の画像データファイルの保存場所が格納されていてもよい。
【００５３】
このようなビーコンＩＤ及びサービスＩＤと関連データとを対応づけた関連データＤＢ４３ａにより、サーバ４は、識別情報（ビーコンＩＤ、サービスＩＤ）に基づいて関連データ（第２のコンテンツ）を抽出することができる。
【００５４】
次に、情報通信システム１０を構成する各装置における処理を説明する。
【００５５】
［デジタルサイネージ装置の処理例］
図７は、デジタルサイネージ装置１の処理を示すフローチャートである。
図７に示すように、デジタルサイネージ装置１の制御部１２は、電源が投入された後、又は本処理に対する始動コマンドを受けた後、表示データ（広告や案内等についての情報：第１のコンテンツ）及び送信データとしての識別情報を設定する（ステップＳ１１）。例えば、記憶部１１に記憶されたテーブル１１ａ（図３参照）のサービスＩＤの順に、ビーコンＩＤ、サービスＩＤ、及び表示データを送信するように設定する。あるいは、制御部１２は、デジタルサイネージ装置１に設けられた時計部（図示略）が示す時刻に応じて、表示データ及び識別情報の送信順を設定するようにしてもよい。例えば、時間帯が朝であれば、朝食セットやコーヒーの広告等を含む表示データが表示されるように設定される。
【００５６】
次に、制御部１２は、表示データを表示部１３に表示するとともに、ビーコン信号送信部１４により所定の期間ごとにビーコンＩＤ等を含むビーコン信号を無線通信により送信する（ステップＳ１２）。所定の期間はビーコン信号の送信インターバルであり、例えばＢＬＥ規格では、送信インターバルはアドバタイズ・インターバルに該当する。
【００５７】
次に、制御部１２は、所定の入力があったかどうかを判定する（ステップＳ１３）。所定の入力、即ち表示データ及び識別情報を変更する旨の指示があった場合には、制御部１２はステップＳ１１に進み、その指示に応じて表示データ及び識別情報を再度設定する。所定の入力とは、例えば図４に例示したクロック入力、図５に例示したユーザの操作入力である。所定の入力がない場合には、制御部１２はステップＳ１２に進み、表示データの表示及びビーコン信号の送信を継続する。
【００５８】
［通信端末の処理例］
図８は、通信端末３の処理を示すフローチャートである。
図８に示すように、通信端末３の処理部３４は、ビーコン信号受信部３１を介してデジタルサイネージ装置１から送信されたビーコン信号を受信したか否かを判定する（ステップＳ２１）。ビーコン信号を受信していない場合には、処理部３４は、ステップＳ２１における判定処理を繰り返す。
【００５９】
ステップＳ２１においてビーコン信号を受信した場合に、処理部３４は、ビーコン信号に含まれるビーコンＩＤとサービスＩＤを、サーバ通信部３２により所定の通信方式でサーバ４へ送信する（ステップＳ２２）。
【００６０】
次に、処理部３４は、サーバ４へビーコンＩＤ等を送信した後、サーバ４から所定時間内に上記ビーコンＩＤ等に対応する関連データ（第１のコンテンツに関連する情報：第２のコンテンツ）を受信したか否かを判定する（ステップＳ２３）。関連データを受信していない場合には、処理部３４は、ステップＳ２１に進む。
【００６１】
ステップＳ２３において関連データを受信した場合には、処理部３４は、関連データを表示部３５に供給し、関連データを表示部３５に表示する（ステップＳ２４）。その後、処理部３４は、ステップＳ２１に進み、定期的にビーコン信号を受信したか否かの判定を行う。
【００６２】
［サーバの処理例］
図９は、サーバ４の処理を示すフローチャートである。
図９に示すように、サーバ４の処理部４２は、通信部４１を介して通信端末３から送信されたビーコンＩＤ等を含む信号を受信したか否かを判定する（ステップＳ３１）。ビーコンＩＤ等を含む信号を受信していない場合には、処理部４２は、ステップＳ３１における判定処理を繰り返す。
【００６３】
ステップＳ３１においてビーコンＩＤ等を含む信号を受信した場合には、処理部４２は、その信号に含まれるビーコンＩＤ等を取得する。次に、処理部４２は、記憶部４３内の関連データＤＢ４３ａ（図６参照）を参照して、当該ビーコンＩＤ等に対応する関連データ（第２のコンテンツ）を抽出する。そして、処理部４２は、抽出した関連データを通信部４１により所定の通信方式で通信端末３へ送信する（ステップＳ３２）。その後、処理部４２は、ステップＳ３１に進み、定期的にビーコンＩＤ等を含む信号を受信したか否かの判定を行う。
【００６４】
［情報通信システムの処理例］
次に、情報通信システム１０を構成する上述したデジタルサイネージ装置１、通信端末３及びサーバ４の各装置による協働処理を説明する。
【００６５】
図１０は、情報通信システム１０による処理を示すシーケンス図である。
まずデジタルサイネージ装置１の制御部１２は、電源が投入された後、又は本処理に対する始動コマンドを受けた後、設定に基づいて記憶部１１のテーブル１１ａ（図３参照）から表示データ（広告や案内等についての情報：第１のコンテンツ）及び識別情報としてビーコンＩＤ等を読み出し、表示データを表示部１３に表示する（ステップＳ４１）。また、制御部１２は、ビーコン信号送信部１４によりビーコンＩＤ等を含むビーコン信号を間欠的に発信する（ステップＳ４２）。その後、制御部１２への入力に応じて、表示データ及びビーコンＩＤ等を適宜切り替えられるが、基本的には、表示部１３による表示データの表示は常時表示であり、識別情報の送信は間欠的送信である。
【００６６】
次に、通信端末３の処理部３４は、ビーコン信号受信部３１によりデジタルサイネージ装置１から送信されたビーコン信号を受信し、ビーコン信号に含まれるビーコンＩＤ等を取得する。そして、処理部３４は、取得したビーコンＩＤ等を、サーバ通信部３２により所定の通信方式でサーバ４へ送信する（ステップＳ４３）。
【００６７】
次に、サーバ４の処理部４２は、通信部４１を介して通信端末３から送信されたビーコンＩＤ等を含む信号を受信し、その信号に含まれるビーコンＩＤ等を取得する。そして、処理部４２は、取得したビーコンＩＤ等に対応する情報（関連データ）を記憶部４３の関連データＤＢ４３ａ（図６参照）から抽出し、通信部４１により所定の通信方式で通信端末３に送信する（ステップＳ４４）。
【００６８】
通信端末３の処理部３４は、サーバ通信部３２によりサーバ４に送信したビーコンＩＤ等に対応する情報を含む関連データをサーバ４から受信し、その情報に応じた処理を行う（ステップＳ４５）。例えば、処理部３４は、関連データに含まれる情報（第１のコンテンツに関連する情報：第２のコンテンツ）を表示部３５に表示する。また、例えば、関連データに含まれる情報が、商品の購入を行うためのＷｅｂサイト（以下「購入サイト」と称す。）を示すＵＲＬである場合には、処理部３４は、ネットワーク５を介して購入サイトにアクセスし、購入サイトのページを表示部３５に表示する。
【００６９】
ここで、デジタルサイネージ装置１において、制御部１２は、所定の入力、即ち表示部１３に表示する提供情報を変更する旨の指示を受信（ステップＳ４６）すると、表示部１３に供給する表示データ及び送信するビーコンＩＤ等を変更する（ステップＳ４７）。
【００７０】
［第１の実施の形態による効果］
上述した第１の実施の形態によれば、利用者が特別な操作をすることなく、デジタルサイネージ装置１の表示部１３に表示された広告や案内等についての情報（第１のコンテンツ）に関連する情報（第２のコンテンツ）が、利用者が所有する通信端末３に送信される。それゆえ、利用者は、デジタルサイネージ装置１の表示部１３に表示された広告や案内等についての情報に関連する情報を、受動的に取得することができる。
【００７１】
また、デジタルサイネージ装置１には、例えば広告として商品の概要（第１のコンテンツ）を表示し、通信端末３に当該商品の詳細情報（第２のコンテンツ）を自動的に表示することで、より多彩な情報を提供可能な情報通信システム１０を実現できる。
【００７２】
また、デジタルサイネージ装置１のビーコン信号送信部１４におけるビーコン信号の送信範囲を近距離に設定してもよい。ビーコン信号送信部１４におけるビーコン信号の送信範囲を所定の距離に設定した場合、デジタルサイネージ装置１の表示内容に興味を持った利用者がデジタルサイネージ装置１から所定の距離内にいるときには、その表示内容に関連した情報が通信端末３にプッシュ送信される、という構成も可能となる。
【００７３】
また、タッチパネルやボタン操作により、デジタルサイネージ装置１に表示された表示内容を変更可能とすれば、利用者の操作により所望の表示データ及び送信データを自動で通信端末３に送信する、という構成も可能となる。
【００７４】
さらに、ビーコン信号の送信範囲を広く設定することで、デジタルサイネージ装置１を正確に目視できない位置にいる利用者に対しても、ビーコンＩＤ等を含むビーコン信号の送信による情報提供ができる。例えば、『この先の○○において、新製品のサイネージ広告を表示中』のような情報を、ビーコン信号を利用して通信端末３に表示して利用者をデジタルサイネージ装置１へ誘導する、という構成も可能となる。
【００７５】
［デジタルサイネージ装置及び通信端末における表示例］
次に、デジタルサイネージ装置１及び通信端末３における表示例を説明する。
図１１〜図１３は、デジタルサイネージ装置１及び通信端末３における表示画面の具体例を示したものである。この図１１〜図１３に示す表示画面の具体例は、ビーコンＩＤが「♯００１」であってサービスＩＤが「０１」〜「０３」である場合における表示データとその関連データの例である。
【００７６】
図１１は、スマートフォンの新製品に関する情報が表示された表示画面の例であり、図１１Ａはデジタルサイネージ装置１に表示される表示画面の例を示し、図１１Ｂは通信端末３に表示される表示画面の例を示す。
【００７７】
図１１Ａに示すデジタルサイネージ装置１の表示部１３には、スマートフォンの電子広告として、「スマートフォン新製品」、「型式（ＡＢＣ−１２３型）」及び「商品情報配信中」のテキスト、並びに「スマートフォンの画像」から構成される表示データ（第１のコンテンツ）が表示されている。
図１１Ｂに示す通信端末３の表示部３５には、電子広告に掲載されたスマートフォンの詳細情報として、スマートフォン新製品（ＡＢＣ-１２３型）の値段、詳細情報の案内、カラーバリエーションの案内、購入サイトの案内から構成される関連データ（第２のコンテンツ）が表示されている。
【００７８】
このようなデジタルサイネージ装置１に表示されたスマートフォンの新製品の広告（第１のコンテンツ）を見た利用者は、通信端末３に自動的に配信された商品情報（第２のコンテンツ）により、詳細情報やカラーバリエーションを確認したり、購入サイトへアクセスしたりすることができる。
【００７９】
図１２は、新刊書籍に関する情報が表示された表示画面の例であり、図１２Ａはデジタルサイネージ装置１に表示される表示画面の例を示し、図１２Ｂは通信端末３に表示される表示画面の例を示す。
【００８０】
図１２Ａに示すデジタルサイネージ装置１の表示部１３には、新刊書籍の電子広告として、「今月の新刊」及び「××出版  書籍情報配信中」のテキスト、並びに「新刊書籍“□□□□”（△△ △△著）の画像」から構成される表示データ（第１のコンテンツ）が表示されている。
図１２Ｂに示す通信端末３の表示部３５には、電子広告に掲載された新刊書籍の詳細情報として、“□□□□”（△△ △△著）の試し読みの案内、購入サイトへの案内、××出版の今月の他の新刊情報の案内から構成される関連データ（第２のコンテンツ）が表示されている。
【００８１】
このようなデジタルサイネージ装置１に表示された新刊書籍の広告（第１のコンテンツ）を見た利用者は、通信端末３に自動的に配信された新刊書籍情報（第２のコンテンツ）により、試し読みしたり、他の新刊情報を見たり、購入サイトへアクセスしたりすることができる。
【００８２】
図１３は、レストランに関する情報が表示された表示画面の例であり、図１３Ａはデジタルサイネージ装置１に表示される表示画面の例を示し、図１３Ｂは通信端末３に表示される表示画面の例を示す。
【００８３】
図１３Ａに示すデジタルサイネージ装置１の表示部１３には、新装開店したレストランの電子広告として、「新装開店レストラン〇〇」、「割引クーポン配信中」のテキストから構成される表示データ（第１のコンテンツ）が表示されている。この第１のコンテンツは、例えば新装開店したレストランの店舗、料理等の画像を含んでいてもよい。
図１３Ｂに示す通信端末３の表示部３５には、電子広告に掲載された新装開店したレストランの詳細情報として、割引クーポン、メニューの案内、地図の案内から構成される関連データ（第２のコンテンツ）が表示されている。
【００８４】
このようなデジタルサイネージ装置１に表示された新装開店したレストランの広告（第１のコンテンツ）を見た利用者は、通信端末３に自動的に配信された割引クーポン情報（第２のコンテンツ）を見て、割引クーポンを取得したり、メニューや地図を確認したりすることができる。
【００８５】
図４に示したようなデジタルサイネージ装置１の提供情報の切替え機能を利用することにより、これらの提供情報を時間帯によって切り替えることができる。例えば、朝にはデジタルサイネージ装置１にスマートフォン新製品情報を表示し、デジタルサイネージ装置１からスマートフォン新製品情報と対応づけられたサービスＩＤ（＝０１）を送信する。また、昼には新刊書籍情報を表示するとともに、これと対応づけられたサービスＩＤ（＝０２）を送信し、夕方にはレストランの新装開店広告を表示するとともに、これと対応づけられたサービスＩＤ（＝０３）を送信するというように、表示データと送信するサービスＩＤを変更する。このように、時間帯に応じてデジタルサイネージ装置１及び通信端末３に表示する情報を切り替えることで、広告効果を高めることができる。
【００８６】
＜第２の実施の形態＞
次に、本発明の第２の実施の形態に係るデジタルサイネージ装置について説明する。
【００８７】
図１４は、第２の実施の形態に係るデジタルサイネージ装置の内部構成を示すブロック図である。図１４に示すデジタルサイネージ装置１Ａは、第１の実施の形態に係るデジタルサイネージ装置１（図２参照）と比較して、ビーコン信号送信機能をモジュール化した点が異なる。図１４において、図２と実質的に同一の機能又は構成を有する構成要素については、同一の符号を付して重複する説明を省略する。
【００８８】
デジタルサイネージ装置１Ａは、図１４に示すように、記憶部１１、制御部１２（取得部の一例）、表示部１３（デジタルサイネージ部の一例）、ビーコンモジュール２０（ビーコン装置の一例）を備える。
【００８９】
図１４における記憶部１１には、表示部１３に表示される表示データ（第１のコンテンツ）のみが記憶されている。制御部１２は、設定に基づいて記憶部１１から表示データを読み出し、表示部１３へ出力するとともに、表示部１３に出力した表示データの通知をビーコンモジュール２０へ入力する。また、制御部１２は外部からの入力（図４及び図５参照）に応じて、表示すべき表示データを記憶部１１から取得して表示部１３へと出力する。また、表示部１３に表示する表示データを変更する際には、その旨の通知をビーコンモジュール２０へ入力する。
【００９０】
ビーコンモジュール２０は、ビーコン用制御部２１（取得部の一例）、ビーコン信号送信部２２（送信部の一例）、記憶部２３を搭載したモジュール基板である。
【００９１】
ビーコン用制御部２１は、例えばＣＰＵ等からなる演算処理装置であり、ビーコン信号送信部２２、記憶部２３を制御する。このビーコン用制御部２１は、記憶部２３から読み出したプログラム、パラメータ等に基づいて、ビーコンモジュール２０内の各部の動作を制御することができる。ビーコン用制御部２１は、制御部１２から表示部１３に出力された表示データの通知を受信し、その表示データの通知をビーコン信号送信部２２へ送信する。
【００９２】
記憶部２３は、例えば、ＲＯＭ、ＲＡＭ等として用いられる記憶媒体によって構成されている。記憶部２３を、ビーコンモジュール２０が備えるレジスタを利用して構成してもよい。この記憶部２３は、ビーコンモジュール２０内の各部を制御するためのプログラム、パラメータ等を記憶する。加えて、記憶部２３は、ビーコンＩＤ及びサービスＩＤと、表示データの通知に含まれる該表示データを特定する情報とを対応づけて構成されたテーブル（図示略）を記憶している。即ち、記憶部２３は、図３に示したテーブル１１ａの表示データフィールド５３を「表示データを特定する情報フィールド」に代えたデータ構造のテーブルを有している。本実施の形態では、ビーコンＩＤによってビーコンモジュール２０が識別され、その結果としてデジタルサイネージ装置１が識別される。
【００９３】
ビーコン信号送信部２２は、ビーコン用制御部２１から入力された表示データの通知に含まれる該表示データを特定する情報に基づき、記憶部２３に格納された不図示のテーブルから、その表示データを特定する情報に対応するサービスＩＤとビーコンＩＤを抽出する。そして、ビーコン信号送信部２２は、抽出したサービスＩＤとビーコンＩＤとを含むビーコン信号を生成し、無線通信により外部へ出力する。
【００９４】
上述した第２の実施の形態によれば、ビーコン信号送信機能をモジュール化したビーコンモジュール２０をデジタルサイネージ装置１Ａに設けることにより、通信手段を持たないデジタルサイネージ装置に通信端末３との通信手段を持たせることができる。それにより、第１の実施の形態と同様に、利用者が特別な操作をすることなく、デジタルサイネージ装置１Ａの表示部１３に表示された広告や案内等についての情報（第１のコンテンツ）に関連する情報（第２のコンテンツ）が、利用者が携帯する通信端末３に送信される。それゆえ、利用者は、デジタルサイネージ装置１Ａの表示部１３に表示された広告や案内等についての情報に関連する情報を、受動的に取得することができる。
【００９５】
また、第１の実施の形態と同様に、デジタルサイネージ装置１Ａには、例えば広告として商品の概要（第１のコンテンツ）を表示し、これと並行して通信端末３に当該商品の詳細情報（第２のコンテンツ）を自動的に表示することで、より多彩な情報を提供可能な情報通信システムを実現できる。
【００９６】
また、ビーコンモジュール２０は、単純なビーコンＩＤ等を送信するだけの簡単な構成（例えば、不図示の電池、小容量のレジスタ及び送信モジュール）である。このようにビーコンモジュール２０自体は簡単な構成であるが故に、デジタルサイネージ装置１Ａに実装しやすい。
【００９７】
さらに、第１の実施の形態において説明した各種の変形例を、この第２の実施の形態にも採用することができる。
【００９８】
＜第３の実施の形態＞
図１５は、本発明の第３の実施の形態に係る情報通信システムの概要を説明するための説明図である。
図１５に示す情報通信システム１０Ａは、デジタルサイネージ装置１と、通信端末３Ａとから構成されており、通信端末３ＡがビーコンＩＤ等に対応する関連データ（第２のコンテンツ）を記憶している。
【００９９】
通信端末３Ａは、第１の実施の形態に係る通信端末３（図２参照）と比較して、記憶部３３に関連データＤＢ３３ａが格納されている点が異なる。記憶部３３に格納された関連データＤＢ３３ａのデータ構造は、サーバ４の記憶部４３（図２参照）に格納された関連データＤＢ４３ａと同じデータ構造（図６参照）である。
【０１００】
通信端末３Ａの処理部３４は、デジタルサイネージ装置１からビーコン信号を受信すると、該ビーコン信号に含まれるビーコンＩＤ等（ビーコンＩＤ、サービスＩＤ）を取得し、取得したビーコンＩＤ等を解釈する。次に、処理部３４は、解釈したビーコンＩＤ等に基づいて、記憶部３３内の関連データＤＢ３３ａを参照し、関連データＤＢ３３ａからビーコンＩＤ等に対応する関連データ（第２のコンテンツ）を抽出する。そして、処理部３４は、抽出した関連データを表示部３５に出力し、表示部３５に関連データを表示する。このビーコンＩＤ等の解釈は、通信端末３Ａに搭載されたＯＳ若しくはアプリケーションが実行する。
【０１０１】
上述した第３の実施の形態によれば、第１の実施の形態において示した、ビーコンＩＤ等を解釈して該ビーコンＩＤ等に対応する関連データ（第２のコンテンツ）を通信端末３に送信するサーバ４が不要となる。通信端末３は、受信したビーコンＩＤ等をサーバ４に転送する処理を行わず、ビーコンＩＤ等に対応する関連データとして例えば商品情報を表示する。
【０１０２】
なお、この第３の実施の形態に係る通信端末３Ａがビーコン信号に含まれるビーコンＩＤ等を解釈する構成を、第２の実施の形態に適用できることは勿論である。
【０１０３】
＜変形例＞
上述した第１及び第２の実施の形態に係るデジタルサイネージ装置１，１Ａは、ビーコンＩＤ等の代わりに、該ビーコンＩＤ等に対応する関連データ（第２のコンテンツ）そのものを送信してもよい。この場合、例えばデジタルサイネージ装置１，１Ａは、識別情報（ビーコンＩＤ，サービスＩＤ）、表示データ及び関連データを対応づけたデータベースを格納する記憶部を備える。このデータベースは、テーブル１１ａに関連データフィールド６３を更に備えたデータ構造を有する。少なくともデジタルサイネージ装置１，１Ａは、識別情報と、表示データと、関連データとの対応関係を把握できる情報を有していればよい。また、デジタルサイネージ装置１，１Ａは、関連データ（第２のコンテンツ）を格納する記憶部を有する。通信端末３は、デジタルサイネージ装置１，１Ａから受信したビーコンＩＤ等をサーバ４に転送する処理を行わず、ビーコンＩＤ等に対応する関連データとして例えば商品情報を表示する。
【０１０４】
また、上述した第１〜第３の実施の形態では、通信端末の一例として携帯可能な通信端末３を用いた例を示したが、表示部を備えた通信端末であればよい。例えば通信端末としては、フィーチャーフォン、ページャー、携帯音楽プレイヤー、腕時計等の様々なモバイル端末を想定しうる。
【０１０５】
さらに、本発明は上述した各実施の形態例に限られるものではなく、特許請求の範囲に記載した本発明の要旨を逸脱しない限りにおいて、その他種々の応用例、変形例を取り得ることは勿論である。
【０１０６】
例えば、上述した実施の形態例は本発明を分かりやすく説明するために装置及びシステムの構成を詳細且つ具体的に説明したものであり、必ずしも説明した全ての構成を備えるものに限定されるものではない。また、ある実施例の構成の一部を他の実施例の構成に置き換えることは可能であり、更にはある実施例の構成に他の実施例の構成を加えることも可能である。また、各実施例の構成の一部について、他の構成の追加、削除、置換をすることも可能である。
また、制御線や情報線は説明上必要と考えられるものを示しており、製品上必ずしも全ての制御線や情報線を示しているとは限らない。実際には殆ど全ての構成が相互に接続されていると考えてもよい。
【０１０７】
また、本明細書において、時系列的な処理を記述する処理ステップは、記載された順序に沿って時系列的に行われる処理はもちろん、必ずしも時系列的に処理されなくとも、並列的あるいは個別に実行される処理（例えば、並列処理あるいはオブジェクトによる処理）をも含むものである。
【符号の説明】
【０１０８】
１，１Ａ…デジタルサイネージ装置、  ３，３Ａ…通信端末、  ４…サーバ、  ５…ネットワーク、  １０，１０Ａ…情報通信システム、１１ａ…テーブル、  １１…記憶部、  １２…制御部、  １３…表示部、  １４…ビーコン信号送信部、  ２０…ビーコンモジュール、  ２１…ビーコン用制御部、  ２２…ビーコン信号送信部、  ２３…記憶部、  ３１…ビーコン信号、  ３２…サーバ通信部、  ３３…記憶部、  ３３ａ…関連データデータベース、  ３４…処理部、  ３５…表示部、  ３６…入力部、  ４１…通信部、  ４２…処理部、  ４３…記憶部、  ４３ａ…関連データデータベース、  ５１…ビーコンＩＤフィールド、  ５２…サービスＩＤフィールド、  ５３…表示データフィールド、  ６１…ビーコンＩＤフィールド、  ６２…サービスＩＤフィールド、  ６３…関連データフィールド
【図１】
2015222880.tif 000003
【図２】
2015222880.tif 000004
【図３】
2015222880.tif 000005
【図４】
2015222880.tif 000006
【図５】
2015222880.tif 000007
【図６】
2015222880.tif 000008
【図７】
2015222880.tif 000009
【図８】
2015222880.tif 000010
【図９】
2015222880.tif 000011
【図１０】
2015222880.tif 000012
【図１１】
2015222880.tif 000013
【図１２】
2015222880.tif 000014
【図１３】
2015222880.tif 000015
【図１４】
2015222880.tif 000016
【図１５】
2015222880.tif 000017